(57)【要約】【課題】携帯端末の裏面に描かれている柄の一部が見えなくなることを抑制する携帯端末用把持具を提供する。【解決手段】携帯端末２の画面とは反対側の背面２Ｒに接着固定される土台３と、土台３に対して取り付けられる回転部材４と、を備え、土台３は、少なくとも中央部３Ｓが透視可能に構成されるとともに、外周縁の下面が携帯端末２の背面２Ｒに固定されるように構成されている。【選択図】図４
2020043529.tif 000002
【特許請求の範囲】
【請求項１】
携帯端末の画面とは反対側の背面に固定される土台と、該土台に対して取り付けられる把持部材と、を備え、
前記土台は、少なくとも中央部が透視可能に構成されるとともに、外周縁の下面が前記携帯端末の背面に固定されるように構成されていることを特徴とする携帯端末用把持具。
【請求項２】
前記土台に対して前記背面に垂直な縦軸回りに回転可能に取り付けられる回転部材を備え、該回転部材は、前記土台の中央部から外れた位置で回転するように該土台に保持されていることを特徴とする請求項１に記載の携帯端末用把持具。
【請求項３】
前記把持部材は、リング状に構成され、かつ、前記縦軸に直交する横軸回りに回転して起伏するように前記土台に連結され、前記横軸が前記土台の中央部よりも外周側に設けられており、前記把持部材は、横軸回りで回転して前記土台に対して倒伏した倒伏姿勢において、該土台の中央部を囲うように配置されることを特徴とする請求項１又は２に記載の携帯端末用把持具。
【請求項４】
前記土台が、上下一対の板部と、それら板部を外縁よりも内側の部位において上下方向で連結する円筒部と、を備え、前記上下一対の板部と前記円筒部とで前記土台の中央部を透視可能に構成し、前記回転部材が前記円筒部に回転自在に外嵌されていることを特徴とする請求項１〜３のうちのいずれか１項に記載の携帯端末用把持具。
【請求項５】
下側の前記板部は、前記携帯端末の背面に固定されるとともに、中央部が開放されたドーナツ型に構成されていることを特徴とする請求項４に記載の携帯端末用把持具。
【請求項６】
前記回転部材の内面と該内面に対向する前記円筒部の外面との間に、該回転部材に回転抵抗を付与するための滑り止め部材を備えていることを特徴とする請求項４又は５に記載の携帯端末用把持具。
【請求項７】
前記把持部材が、上側の前記板部の外径よりも大きな内径を有するリング状の部材から構成され、下側の前記板部の外径が、上側の前記板部の外径よりも大きく構成されていることを特徴とする請求項４又は５又は６に記載の携帯端末用把持具。
【発明の詳細な説明】
【技術分野】
【０００１】
本発明は、携帯端末を把持するための携帯端末用把持具に関する。
【背景技術】
【０００２】
上記携帯端末用把持具は、例えばスマートフォン（登録商標）等の携帯端末を手に持って操作している時に、携帯端末が手から滑り落ちないように、携帯端末の背面に手の指を引っ掛けるためのリング状の把持部材を取り付けたものが提案されている。この把持部材は、携帯端末の背面に接着固定するための接着パッドを下側に備えるベース板と、把持部材を縦軸回りに３６０度回転させるための回転キャップと、回転キャップに把持部材を横軸回りに１８０度回転させて把持部材の角度を変更するためのゴムでなるスリーブと、回転キャップをベース板に形成の結合孔に挿入した状態を維持するための固定部材と、を備えている。前記固定部材は、ベース板の結合孔の大きさよりも大きな外形を有している。この固定部材を、ベース板の下面に当接した状態で２つの締結部材を固定部材に形成の一対の孔にそれぞれ挿通させてから回転キャップに形成の一対の締結孔に締結させる。これにより回転キャップをベース板に回転可能に取り付けることができる（例えば特許文献１参照）。
【先行技術文献】
【特許文献】
【０００３】
【特許文献１】特表２０１４−５１２７０９号公報（図３４参照）
【発明の概要】
【発明が解決しようとする課題】
【０００４】
上記構成の携帯端末用把持具では、回転キャップ及び接着パッドを有するベース板で携帯端末の裏面に描かれている柄の一部を覆ってしまう。そのため、柄の一部が見えなくなってしまうという不都合が発生する。
【０００５】
本発明が前述の状況に鑑み、解決しようとするところは、携帯端末の裏面に描かれている柄の一部が見えなくなることを抑制する携帯端末用把持具を提供することにある。
【課題を解決するための手段】
【０００６】
本発明の携帯端末用把持具は、前述の課題解決のために、携帯端末の画面とは反対側の背面に固定される土台と、該土台に対して取り付けられる把持部材と、を備え、前記土台は、少なくとも中央部が透視可能に構成されるとともに、外周縁の下面が前記携帯端末の背面に固定されるように構成されていることを特徴としている。
【０００７】
かかる構成によれば、土台の少なくとも中央部が透視可能に構成されるとともに、土台の外周縁の下面が前記携帯端末の背面に固定される構成にすることによって、土台の少なくとも中央部を通して携帯端末の背面の柄を透視することができる。
【０００８】
また、本発明の携帯端末用把持具は、前記土台に対して前記背面に垂直な縦軸回りに回転可能に取り付けられる回転部材を備え、該回転部材は、前記土台の中央部から外れた位置で回転するように該土台に保持されていることが好ましい。
【０００９】
上記構成によれば、土台に対して回転部材を背面に垂直な縦軸回りに回転することによって、把持部材の周方向での位置を調整することができる。しかも、回転部材が、土台の中央部から外れた位置で回転するように該土台に保持されているので、土台の少なくとも中央部を通して携帯端末の背面の柄を透視することができる。
【００１０】
また、本発明の携帯端末用把持具は、前記把持部材が、リング状に構成され、かつ、前記縦軸に直交する横軸回りに回転して起伏するように前記土台に連結され、前記横軸が前記土台の中央部よりも外周側に設けられており、前記把持部材は、横軸回りで回転して前記土台に対して倒伏した倒伏姿勢において、該土台の中央部を囲うように配置されることが好ましい。
【００１１】
上記構成によれば、把持部材を縦軸に直交する横軸回りに回転させることによって、携帯端末に対する把持部材の角度を調整することができる。また、把持部材は、横軸回りで回転して土台に対して倒伏した倒伏姿勢において、土台の中央部を囲うように配置されるので、把持部材を土台と一体感のあるデザインとすることができる。
【００１２】
また、本発明の携帯端末用把持具は、前記土台が、上下一対の板部と、それら板部を外縁よりも内側の部位において上下方向で連結する円筒部と、を備え、前記上下一対の板部と前記円筒部とで前記土台の中央部を透視可能に構成し、前記回転部材が前記円筒部に回転自在に外嵌されていることが好ましい。
【００１３】
上記構成によれば、円筒部に対して回転部材を回転自在に外嵌することによって、回転部材を回転自在に土台に固定するための固定部材及び固定部材と回転部材とを固定するためのビス等の締結部材を不要にすることができる。また、上下一対の板部と円筒部とで土台の中央部を透視可能に構成することによって、その中央部を通して携帯端末の背面の柄を透視することができる。
【００１４】
また、本発明の携帯端末用把持具は、下側の前記板部は、前記携帯端末の背面に固定されるとともに、中央部が開放されたドーナツ型に構成されていることが好ましい。
【００１５】
上記構成によれば、下側の板部を、中央部が開放されたドーナツ型に構成することによって、上側の板部を通して携帯端末の背面の柄を鮮明にみることができる。
【００１６】
また、本発明の携帯端末用把持具は、前記回転部材の内面と該内面に対向する前記円筒部の外面との間に、該回転部材に回転抵抗を付与するための滑り止め部材を備えていることが好ましい。
【００１７】
上記構成によれば、回転部材の内面と内面に対向する円筒部の外面との間に、回転部材に回転抵抗を付与するための滑り止め部材を備えることによって、滑り止め部材が回転部材の回転に抵抗を与えることができる。よって、回転部材を所定角度回転させた位置に維持することができ、使用面において有利になる。
【００１８】
また、本発明の携帯端末用把持具は、前記把持部材が、上側の前記板部の外径よりも大きな内径を有するリング状の部材から構成され、下側の前記板部の外径が、上側の前記板部の外径よりも大きく構成されていることが好ましい。
【００１９】
上記構成によれば、リング状の部材でなる把持部材を、上側の板部の外周に位置するように横軸回りに回転させた時に、下側の板部の上面に当接することによって、携帯端末の背面に把持部材が当接して携帯端末の背面を傷つけることを防止できる。
【発明の効果】
【００２０】
本発明によれば、少なくとも中央部を通して携帯端末の背面の柄を透視することができるように構成することによって、携帯端末の裏面に描かれている柄の一部が見えなくなることを抑制する携帯端末用把持具を提供することができる。
【図面の簡単な説明】
【００２１】
【図１】リング状の把持部材を一方側に１８０度回転させて開いた状態を示す携帯端末用把持具の斜視図である。
【図２】リング状の把持部材を他方側に１８０度回転させて閉じた状態を示す携帯端末用把持具の斜視図である。
【図３】図１のリング状の把持部材を開いた状態から閉じるまでの状態を示す正面図である。
【図４】図１において中心で切断した携帯端末用把持具の縦断正面図である。
【図５】図１のリング状の把持部材を閉じた状態を示す携帯端末用把持具の正面図である。
【図６】携帯端末用把持具の分解斜視図である。
【図７】携帯端末用把持具で携帯端末を立てた状態を示す説明図である。
【図８】別の携帯端末用把持具を示す斜視図である。
【図９】図８のリング状の携帯端末用把持具を縦に切断した縦断正面図である。
【発明を実施するための形態】
【００２２】
以下、本発明の携帯端末用把持具について図１〜図６に基づいて説明する。この携帯端末用把持具１は、図３に示すように、携帯端末（例えばスマートフォン（登録商標））２の画面が形成される表面とは反対側の背面（裏面）２Ｒに固定される。
【００２３】
携帯端末用把持具１は、図４に示すように、携帯端末２の背面２Ｒに固定される土台３と、土台３に対して縦軸Ｘ回りに回転可能に取り付けられる回転部材４と、回転部材４に対して横軸Ｙ回りに回転可能に取り付けられる把持部材５と、を備えている。なお、縦軸Ｘは、携帯端末２の背面２Ｒに対して垂直方向であり、横軸Ｙは、縦軸Ｘと直交し、かつ、携帯端末２の背面２Ｒに対して平行な方向である。
【００２４】
土台３は、透明な合成樹脂材料から一体形成され、上下一対の板部３Ａ，３Ｂと、それら板部３Ａ，３Ｂを外縁よりも内側の部位において上下方向で連結する円筒部３Ｃと、を備え、回転部材４が円筒部３Ｃに回転自在に外嵌されている。このように回転部材４を円筒部３Ｃに外嵌する構成とすることによって、回転部材を回転自在に土台３に固定するための固定部材及び固定部材と回転部材とを固定するためのビス等の締結部材を不要にすることができる。しかも、締結部材がないから、透明な土台３を通して締結部材が見えることがない。前記上下一対の板部３Ａ，３Ｂと前記円筒部３Ｃとで土台３の中央部３Ｓを透視可能に構成している。円筒部３Ｃの内面３Ｚは、凹凸のない略フラットな面になっている。
【００２５】
上側の板部３Ａ及び下側の板部３Ｂのそれぞれは、外形が円形な板部からなり、下側の板部３Ｂが上側の板部３Ａよりも外径寸法が大きく設定されている。また、下側の板部３Ｂが、携帯端末２の背面２Ｒに固定されるとともに、中央部が開放されたドーナツ型に構成されている（図４参照）。
【００２６】
また、下側の板部３Ｂの下面には、透明なシート状でドーナツ形状の粘着剤６を備えている。粘着剤は、吸着性を有するシリコンやポリウレタン等から構成される。このようにドーナツ型の下側の板部３Ｂの下面に粘着剤６を備えている。この粘着剤６は、透明であるものの、部位によっては透明感にバラツキがあるため、ドーナツ型の下側の板部３Ｂの下面にのみ粘着剤６を備えることによって、上側の板部３Ａの中央部３Ｓから透視したときに粘着剤６が見えることがなく、携帯端末２の背面２Ｒの柄が見えにくいといったことがない。また、下側の板部３Ｂの中央部が開放されているため、上側の板部３Ａを通して携帯端末２の背面２Ｒの柄を鮮明に見ることができる。粘着剤６を、携帯端末２の背面２Ｒに貼り付ける前は、図示していない離型紙で覆われていることが好ましい。したがって、下側の板部３Ｂを携帯端末２の背面２Ｒに貼り付ける時に、離型紙を剥がすことになる。
【００２７】
回転部材４は、透明な合成樹脂材料で形成され、図６に示すように、略円形状に形成されるリング部４Ａと、リング部４Ａの周方向両端部から径方向外側に延びる一対の延出部４Ｂ，４Ｂと、を備えている。延出部４Ｂ，４Ｂのそれぞれには、延出部４Ｂ，４Ｂ間に挟み込んで延出部４Ｂ，４Ｂ間の間隔を所定間隔に維持するためのスペーサ７を係合保持するための係合孔４ｂが形成されている。リング部４Ａを前記円筒部３Ｃに外嵌することによって、土台３の中央部３Ｓから外れた位置で回転するように土台３の円筒部３Ｃに保持されている。そして、上下の板部３Ａ，３Ｂによって、リング部４Ａが上下に移動することが阻止される。なお、リング部４Ａの高さ方向の幅は、上側の板部３Ａの下面３Ｄと下側の板部３Ｂの上面３Ｕとの間（図４参照）の長さよりも僅かに小さな寸法に設定されている。したがって、把持部材５を持って回転部材４を縦軸Ｘ回りに回転させることによって、把持部材５の周方向での位置を調整することができる。
【００２８】
スペーサ７は、透明な合成樹脂材料で形成され、図６に示すように、延出部４Ｂ，４Ｂ間に挟み込まれるスペーサ本体７Ａと、スペーサ本体７Ａの厚み方向両端から厚み方向外側に突出する一対の凸部７Ｂ，７Ｂと、を備えている。一方の凸部７Ｂ、スペーサ本体７Ａ、他方の凸部７Ｂに亘って丸棒でなる軸８が挿通する貫通孔７Ｋが形成されている。なお、軸８は金属材料で構成されるのが好ましいが、合成樹脂材料で構成してもよい。
【００２９】
また、図４に示すように、回転部材４の内面４Ｉと内面４Ｉに対向する円筒部３Ｃの外面３Ｈとの間に、回転部材４に回転抵抗を付与するための滑り止め部材９を備えている。この滑り止め部材９は、円筒部３Ｃの外面３Ｈに装着されるシール材やゴム材等から構成することができる。滑り止め部材９を備えていることによって、滑り止め部材９が回転部材４の回転に抵抗を与えることができる。よって、回転部材４を所定角度回転させた位置に維持することができ、図7に示すように、携帯端末２を平らな床Ｆ等に立てて使用することができ、使用面において有利になる。なお、回転部材４の内面４Ｉに図４に示すように、滑り止め部材９の一部が入り込む凹部を形成しており、回転部材４の内面４Ｉに対して滑り止め部材９が上下方向に位置ずれすることを防止することができる。
【００３０】
把持部材５は、金属材料で構成されており、図６に示すように、上側の板部３Ａの外径よりも大きな内径を有する略リング状の部材から構成されている。そして、指を引っ掛ける略円形状のリング部５Ａと、リング部５Ａの周方向両端から径方向に延びる延出部５Ｂ，５Ｂと、を備えている。延出部５Ｂ，５Ｂのそれぞれには、軸８を通すための貫通孔５ｂが形成されている。したがって、リング状の部材でなる把持部材５は、土台３の中央部３Ｓよりも外周側に設けられた横軸Ｙ回りに回転して起伏するように土台３に連結されている。また、把持部材５は、横軸Ｙ回りに回転して土台３に対して倒伏した倒伏姿勢、つまり上側の板部３Ａの外周に位置する姿勢において、図５の実線に示すように、土台３の中央部を囲うように配置される。このように、把持部材５が土台３の中央部を囲うように配置されるので、把持部材５を土台３と一体感のあるデザインとすることができる。このとき、把持部材５が下側の板部３Ｂの上面３Ｕに当接することによって、携帯端末２の背面２Ｒに把持部材５が当接して携帯端末２の背面２Ｒを傷つけることを防止できる。また、把持部材５を、上側の板部３Ａの外周に位置するように横軸Ｙ回りに回転させた時に、また、図５に示すように、リング部５Ａが下側の板部３Ｂの上面３Ｕに当接した状態では、リング部５Ａの上面５ａが上側の板部３Ａの上面３Ｖよりも低い高さになっている。換言すれば、リング部５Ａの上面５ａが上側の板部３Ａの下面３Ｄと同一高さになっている。
【００３１】
上記の携帯端末用把持具１を組み立てる場合には、土台３の円筒部３Ｃに回転部材４を拡径させながら外嵌させる。続いて、回転部材４の延出部４Ｂ，４Ｂ間にスペーサ７を挟み込んだ状態で係合保持させる。次に、把持部材５の延出部５Ｂ，５Ｂを回転部材４の延出部４Ｂ，４Ｂの軸挿入方向両端のそれぞれに当接させる。この状態で軸８を、把持部材５の一方の延出部５Ｂ、回転部材４の一方の延出部４Ｂ、スペーサ７、回転部材４の他方の延出部４Ｂ、把持部材５の他方の延出部５Ｂの順に挿入して作業が終了する。なお、土台３の下側の板部３Ｂの下面３Ｄにシート状の粘着剤６を備えさせて前記のように離型紙（図示せず）で覆っておくことになる。
【００３２】
尚、本発明は、前記実施形態に限定されるものではなく、本発明の要旨を逸脱しない範囲で種々の変更が可能である。
【００３３】
例えば、携帯端末用把持具を備える携帯端末としては、ｉＰｈｏｎｅ（登録商標）の他、ｉＰａｄ（登録商標）、ｉＰｏｄ（登録商標）、タブレットコンピュータ、モバイルコンピュータ等であってもよい。
【００３４】
また、前記実施形態では、土台３に対して背面２Ｒに垂直な縦軸Ｘ回りに回転可能に取り付けられる回転部材４を備え、把持部材５が、縦軸Ｘに直交する横軸Ｙ回りに回転して起伏するように土台３に連結されているが、いずれか一方のみを備えた携帯端末用把持具１であってもよいし、いずれも備えていない土台３に把持部材５が不動に固定されている携帯端末用把持具１であってもよい。
【００３５】
また、前記実施形態では、上下一対の板部３Ａ，３Ｂを円形に構成したが、楕円形、矩形、多角形、不定形状等、どのような形状に構成してもよい。
【００３６】
また、前記実施形態では、下側の板部３Ｂを、それの中央部を開放したドーナツ形状に構成したが、中央部を開放しない円板状に構成してもよい。この場合、粘着剤を円板状の板部の外周縁のみに備えることによって、板部の全面に設けた場合に、携帯端末の背面の柄が見えにくくなるといったことを防止できる。
【００３７】
また、前記実施形態では、土台３を、透明な合成樹脂から構成したが、半透明な合成樹脂や各色に着色した合成樹脂から構成してもよいし、土台３の中央部３Ｓのみが透明又は半透明な合成樹脂あるいは各色に着色した合成樹脂から構成してもよい。また、土台３の中央部３Ｓのみを開口させる、又は土台３の中央部３Ｓに多数のスリット又は多数の貫通孔を形成して、開口又は多数のスリットあるいは多数の貫通孔を通して携帯端末２の背面２Ｒの柄が見えるように、少なくとも中央部を透視可能に構成してもよい。
【００３８】
また、前記実施形態では、携帯端末用把持具１を粘着剤６により携帯端末２の裏面に固定したが、接着剤であってもよいし、場合によっては、携帯端末２に金属部分を備えている場合には、磁石であってもよい。
【００３９】
また、前記実施形態では、把持部材を円形のリング状のものから構成したが、楕円形、矩形、多角形、不定形状等であってもよい。また、図８に示すように、把持部材５１を開閉可能な閉止片５１Ａを有するカラビナから構成してもよい。
【００４０】
図８のカラビナを用いる場合には、図８及び図９に示すような構成にしてもよい。つまり、土台３１を下面が開放され、かつ、透明な合成樹脂から形成し、その土台３の外周縁の下面３１Ａにのみシート状の粘着剤６１を備えさせる。土台３１の長手方向一端部に縦軸Ｘ回りに回転自在な回転部材４１を、貫通して抜け止めされた状態で取り付けている。そして、回転部材４１に軸８１を貫通させ、その軸８１にカラビナからなる把持部材５１の一端を軸支することによって横軸Ｙ回りに把持部材５１を回転させることができる。把持部材５１が取り付けられていない透明な土台３１の長手方向中央部３１Ｓ及び他端部から携帯端末２の背面２Ｒの柄を透視することができる。図９では、把持部材５１を二点鎖線で示す起立した起立姿勢から実線で示す９０度倒伏した倒伏姿勢を示している。図８及び図９では、土台３１の長手方向一端部に把持部材５１を備えているが、土台３１の長手方向中央部に把持部材５１を備えていてもよい。
【符号の説明】
【００４１】
１…携帯端末用把持具、２…携帯端末、２Ｒ…背面、３…土台、３Ａ…上側の板部、３Ｂ…下側の板部、３Ｃ…円筒部、３Ｄ…下面、３Ｈ…円筒部の外面、３Ｓ…上側の板部の中央部、３Ｕ…下側の板部の上面、３Ｖ…上側の板部の上面、３Ｚ…円筒部の内面、４…回転部材、４Ａ…リング部、４Ｂ…延出部、４Ｉ…リング部の内面、４ｂ…回転部材の係合孔、５…把持部材、５Ａ…リング部、５Ｂ…延出部、５ａ…リング部の上面、５ｂ…貫通孔、６…粘着剤、７…スペーサ、７Ａ…スペーサ本体、７Ｂ…凸部、７Ｋ…貫通孔、８…軸、９…滑り止め部材、３１…土台、３１Ａ…土台の下面、３１Ｓ…中央部、４１…回転部材、５１…把持部材、５１Ａ…閉止片、６１…粘着剤、８１…軸、Ｆ…床、Ｘ…縦軸、Ｙ…横軸
【図１】
2020043529.tif 000003
【図２】
2020043529.tif 000004
【図３】
2020043529.tif 000005
【図４】
2020043529.tif 000006
【図５】
2020043529.tif 000007
【図６】
2020043529.tif 000008
【図７】
2020043529.tif 000009
【図８】
2020043529.tif 000010
【図９】
2020043529.tif 000011